(57)【要約】  利用者による衣服の製作、直しおよび／または購入を容易にするためのマネキン、方法およびシステム。マネキンは、衣服および／または装飾品の予期された利用者の身体にほぼ類似している、外側の身体輪郭を含む身体；マネキンに合わせられた衣服および／または装飾品のパフォーマンスの１つまたは複数の定量的表示を提供するための、身体に取り付けられた複数のセンサ；ならびに衣服および／または装飾品のパフォーマンスの１つまたは複数の定量的表示を送信するように動作可能なセンサに接続されたデータ送信インタフェースを含む。【選択図】図１
2013538945.tif 000002
【特許請求の範囲】
【請求項１】
マネキンであって：
衣服および／または装飾品の予期された利用者の身体にほぼ類似している、外側の輪郭を含む身体；
前記マネキンに合わせられた前記衣服および／または装飾品のパフォーマンスの１つまたは複数の定量的表示を提供するための、前記身体に取り付けられた複数のセンサ、および
前記衣服および／または装飾品のパフォーマンスまたは快適さの前記１つまたは複数の定量的表示を送信するように動作可能な前記センサに接続されたデータ送信インタフェース
を含むマネキン。
【請求項２】
前記マネキンに合わせられた前記衣服および／または装飾品の前記パフォーマンスまたは快適さの前記定量的表示は、圧力、気流、体熱、織物の柔軟さ、衣服の透過度、材料の応力、織物が伸ばされる程度ならびに衣服および／または装飾品の完全性の表示のうち１つまたは複数を含む、請求項１に記載のマネキン。
【請求項３】
前記外側の身体輪郭は、前記利用者の１つまたは複数の外側の身体輪郭を前記マネキンに複製させるように動作可能な複数の調節可能な装置により前記身体の少なくとも一部にわたり規定される、請求項１または２に記載のマネキン。
【請求項４】
前記利用者の前記１つまたは複数の外側の身体輪郭に関連する、前記利用者の測定値を受信するためのデータ受信インタフェース、
前記受信された測定値を、前記複数の調節可能な装置により受信可能な信号に変換するためのプロセッサ
をさらに含み、前記信号を受信すると、前記複数の調節可能な装置は、前記利用者の１つまたは複数の外側の身体輪郭を前記マネキンに複製させる位置を採用するように作動させられる、および／または制御される、
請求項３に記載のマネキン。
【請求項５】
前記複数の調節可能な装置は移動可能ピストンを含み、前記複数のセンサは、前記マネキンに合わせられた前記衣服および／または装飾品により、前記利用者の前記１つまたは複数の外側の身体輪郭を複製する前記移動可能ピストンの前記１つまたは複数に加えられる力を測定する、請求項３または４に記載のマネキン。
【請求項６】
前記１つまたは複数の移動可能ピストンは、水圧により、もしくは空気圧により、もしくは電磁的に作動させられる、またはモータもしくはばねにより駆動され、衣服または装飾品の前記物品により移動可能ピストンに加えられる前記力は、１つまたは複数の圧力センサにより測定される、請求項５に記載のマネキン。
【請求項７】
顧客のためにまたは顧客により、衣服を製作する、直す、および／または購入するためのシステムであって：
マネキンであって：
衣服および／または装飾品の予期された利用者の身体にほぼ類似している、外側の輪郭を含む身体；
前記マネキンに合わせられた前記衣服および／または装飾品のパフォーマンスの１つまたは複数の定量的表示を提供するための、前記身体に取り付けられた複数のセンサ、および
前記衣服および／または装飾品のパフォーマンスの前記１つまたは複数の定量的表示を送信するように動作可能な前記センサに接続されたデータインタフェースを含むマネキン；および
前記マネキンに合わせられた前記衣服および／または前記装飾品のパフォーマンスの前記定量的表示のグラフィック表現を生成するための提示モジュール
を含むシステム。
【請求項８】
前記利用者の前記１つまたは複数の外側の身体輪郭に関連する、前記利用者の測定値を受信するための受信インタフェース；
前記受信された測定値を、前記複数の調節可能な装置により受信可能な信号に変換するためのプロセッサ
をさらに含み、前記信号を受信すると、前記複数の調節可能な装置は、前記利用者の１つまたは複数の外側の身体輪郭を前記マネキンに複製させる位置を採用する、
請求項７に記載のシステム。
【請求項９】
前記定量的表示の前記グラフィック表現を送信するためのデータ送信インタフェースをさらに含む、請求項７または８に記載のシステム。
【請求項１０】
前記定量的表示の前記グラフィック表現は、コード化されたオーバーレイをグラフィック画像上に含む、請求項７〜９のうちいずれか一項に記載のシステム。
【請求項１１】
前記グラフィック画像は、前記マネキンに合わせられた前記衣服の写真画像の１つを含む、請求項７〜９のうちいずれか一項に記載のシステム。
【請求項１２】
前記グラフィック表現は、異なる透過度の領域、異なる彩色の濃淡の領域および／または異なる明るさの領域を含む、請求項７〜１０のうちいずれか一項に記載のシステム。
【請求項１３】
前記グラフィック表現は、異なる透過度の領域および異なる彩色の濃淡の領域を含み、前記彩色の濃淡は定量的表示のタイプを示し、前記透過度は前記定量的表示の大きさを示す、請求項１２に記載のシステム。
【請求項１４】
顧客による衣服の製作、直しおよび／または購入を容易にする方法であって：
調節可能なマネキンを提供することであって：
衣服および／または装飾品の予期された利用者の身体にほぼ類似している、外側の輪郭を含む身体；
前記マネキンに合わせられた前記衣服および／または装飾品のパフォーマンスの１つまたは複数の定量的表示を提供するための、身体の前記外側の輪郭に取り付けられた複数のセンサ、および
前記衣服および／または装飾品のパフォーマンスの前記１つまたは複数の定量的表示を送信するように動作可能な前記センサに接続されたデータ送信インタフェース
を含む調節可能なマネキンを提供すること；
前記マネキンを前記衣服および／または装飾品と合わせること；
データインタフェースを介して、前記マネキンから前記定量的表示を受信すること；および
データインタフェースを介して、前記定量的表示のグラフィック表現を前記利用者に提供すること
を含む方法。
【請求項１５】
データインタフェースを介して、衣服および／または装飾品の前記予期された利用者の外側の物理的寸法を受信すること；
前記受信された外側の物理的寸法に従って前記マネキンを調節すること；
をさらに含み、前記マネキンは、自分の物理的寸法を調節して、前記利用者の１つまたは複数の外側の身体輪郭を複製するように動作可能な複数の調節可能な装置を含む、
請求項１４に記載の方法。
【請求項１６】
前記予期された利用者の前記物理的寸法は、前記予期された利用者の身長、および前記予期された利用者の身体部分の長さまたは幅のうち１つまたは複数を含む、請求項１５に記載の方法。
【請求項１７】
プロセッサ上で、およびパフォーマンスの前記定量的表示から、衣服および／または装飾品の前記合い具合の表示を生成すること；および
データインタフェースを介して、前記表示を前記利用者に提供すること
をさらに含む、請求項１４に記載の方法。
【請求項１８】
データインタフェースを介して、衣服および／または装飾品の前記予期された利用者の１つまたは複数の好みを受信すること；および
前記１つまたは複数の好みに従って前記グラフィック表現および／または前記定量的表示を調節すること
をさらに含む、請求項１４に記載の方法。
【請求項１９】
前記衣服は、ワイシャツ、ブラウス、ドレス、スカート、ベスト、ジャンパー、ジャケット、ズボン、スーツ、靴、帽子または手袋のうち任意の１つまたは複数を含み、前記装飾品は、腕時計、スカーフ、ブレスレット、アンクレット、ネックレス、ファッシネータ（ｆａｓｃｉｎａｔｏｒ）またはガードルのうち任意の１つまたは複数を含む、請求項１４に記載の方法。
【請求項２０】
前記マネキンを新しい位置に調節すること；
データインタフェースを介して、衣服および／または装飾品の前記合い具合に関して他の定量的表示を前記マネキンから受信すること；および
データインタフェースを介して、前記マネキンの新しい位置に対応する前記他の定量的表示のグラフィック表現を前記利用者に提供すること
をさらに含む、請求項１４に記載の方法。
【発明の詳細な説明】
【技術分野】
【０００１】
本発明は、衣服および／または装飾品の製作、直しおよび／または購入を容易にするマネキン、方法およびシステムに関する。詳細には、システムおよび方法は、合い具合および／または快適さの１つまたは複数の定量的指標を提供するセンサおよび／または機構を備えるマネキンの使用を伴う。
【背景技術】
【０００２】
たとえばＡｍａｚｏｎ．ｃｏｍなどのオン・ライン・ショッピング・システムを使用して衣服を購入するとき、品目が、典型的には品目の２次元の外観だけにより選択される。対照的に、小売店で衣服を購入するとき、衣服の品目は、マネキンに展示される。不都合なことに、大部分の小売りの環境で使用されるマネキンは、典型的には背の高い、ほっそりした、筋骨たくましい男女の人間の体形を複製している。オンラインの環境では、品目は、ウェブページ上の静止画像から選択され、典型的には、衣服のサイズは、現在のサイズ設定慣行に従ってサイズの選択を可能にするドロップ・ダウン・リストから選択される。
【０００３】
衣服サイズ指標だけに基づき衣服を選択すると、しばしばサイズが合わない、またはさらに悪いことには、明らかに似合わない衣服、およびそれどころか着られない衣服に帰着する。時間、金銭および材料の浪費は、経済的問題だけでなく、持続可能性の問題でもある。
【０００４】
たいていは、衣服サイズ指標に基づき衣服を選択するとき、マネキンおよびオンライン画像で見たときには望ましく見えたことがある品目が、衣服を受け取ったときには望ましいと見えず、顧客は、自分の体形および嗜好に合うように正しい物品を選択したかどうか判断するのにより多くの時間およびより多くの資源を費やす。現実の世界でも、オンラインの環境でも、顧客が、衣服の品目についてどのように感じるか、および衣服がどれだけ合うかについて現実的な見解を得ることは困難である。快適さなどの要因は、マネキンおよび／またはオンライン画像を見ることに基づき決定することは事実上不可能である。
【発明の概要】
【発明が解決しようとする課題】
【０００５】
この問題は、国、衣服製造業者間、さらには製造業者自体の衣服の範囲におけるサイズ設定の変動、スタイルの変動、材料の変動などにより悪化する。衣服選択方法の改善が必要である。
【０００６】
同様の問題が、衣服を製作する、または直すときに発生する。衣服を製作する、または直す過程の間に顧客が居合わせない場合、その衣服がぴったり合って快適であることを保証することは困難である。
【課題を解決するための手段】
【０００７】
本明細書における従来技術のどの説明も、背景を提供する目的のために含まれており、そのような従来技術は、広く知られている、または本発明の分野における共通の一般的知識の一部を形成することを認めるものと解釈されるべきではない。
【０００８】
第１の様態では、第１の様態は唯一の様態でも、実際、最も広い様態でもないが、本発明は：
衣服および／または装飾品の予期された利用者の身体にほぼ類似している、外側の輪郭を含む身体；
マネキンに合わせられた衣服および／または装飾品のパフォーマンスの１つまたは複数の定量的表示を提供するための、身体に取り付けられた複数のセンサ、および
衣服および／または装飾品のパフォーマンスの１つまたは複数の定量的表示を送信するように動作可能なセンサに接続されたデータ送信インタフェース
を含むマネキンを提供する。
【０００９】
一実施形態によれば、マネキンに合わせられた衣服および／または装飾品のパフォーマンスの定量的表示は、圧力、気流、体熱、織物の柔軟さ、衣服の透過度、材料の応力、織物が伸ばされる程度ならびに衣服および／または装飾品の完全性の表示のうち１つまたは複数を含む。
【００１０】
別の実施形態によれば、外側の身体輪郭は、利用者の１つまたは複数の外側の身体輪郭をマネキンに複製させるように動作可能な複数の調節可能な装置により身体の少なくとも一部にわたり規定される。
【００１１】
さらに別の実施形態によれば、マネキンは：
利用者の１つまたは複数の外側の身体輪郭に関連する、利用者の測定値を受信するためのデータ受信インタフェース；および
受信された測定値を複数の調節可能な装置により受信可能な信号に変換するためのプロセッサ
をさらに含み、信号を受信すると、複数の調節可能な装置は、利用者の１つまたは複数の外側の身体輪郭をマネキンに複製させる物理的位置を採用するように作動させられる、および／または制御される。
【００１２】
複数の調節可能な装置は、移動可能ピストンを含んでもよく、複数のセンサは、マネキンに合わせられた衣服または装飾品の物品により、利用者の１つまたは複数の外側の身体輪郭を複製する移動可能ピストンの１つまたは複数に加えられる力を測定してもよい。
【００１３】
１つまたは複数の移動可能ピストンは、水圧または空気圧により作動させられ、衣服または装飾品の物品により移動可能ピストンに加えられる力は、１つまたは複数の水圧または空気圧の圧力センサにより測定される。あるいは、調節可能な装置は、電磁的手段により作動させられる、または電動機により駆動される移動可能ピストンを含んでもよい。
【００１４】
別の様態によれば、本発明は、顧客のためにまたは顧客により、衣服を製作する、直す、および／または購入するためのシステムを提供し、システムは：
マネキンであって：
衣服および／または装飾品の予期された利用者の身体にほぼ類似している、外側の輪郭を含む身体；
マネキンに合わせられた衣服および／または装飾品のパフォーマンスの１つまたは複数の定量的表示を提供するための、身体に取り付けられた複数のセンサ、および
衣服および／または装飾品のパフォーマンスの１つまたは複数の定量的表示を送信するように動作可能なセンサに接続されたデータインタフェース
を含むマネキン；ならびに
マネキンに合わせられた衣服および／または装飾品のパフォーマンスの定量的表示のグラフィック表現を生成するための提示モジュール
を含む。
【００１５】
一実施形態によれば、システムは：
利用者の１つまたは複数の外側の身体輪郭に関連する、利用者の測定値を受信するための受信インタフェース；および
受信された測定値を、複数の調節可能な装置により受信可能な信号に変換するためのプロセッサ
をさらに含み、信号を受信すると、複数の調節可能な装置は、利用者の１つまたは複数の外側の身体輪郭をマネキンに複製させる物理的位置を採用する。
【００１６】
別の実施形態によれば、システムは、定量的表示のグラフィック表現を送信するためのデータ送信インタフェースをさらに含む。
【００１７】
定量的表示のグラフィック表現は、コード化されたオーバーレイをグラフィック画像上に含んでもよい。グラフィック画像は、マネキンに合わせられた衣服の写真画像の１つを含んでもよい。グラフィック表現は、異なる透過度の領域、異なる彩色の濃淡の領域および／または異なる明るさの領域を含んでもよい。
【００１８】
一実施形態によれば、グラフィック表現は、異なる透過度の領域および異なる彩色の濃淡の領域を含み、彩色の濃淡は量的表示のタイプを示し、透過度は量的表示の大きさを示す。
【００１９】
別の様態によれば、本発明は、利用者による衣服の製作、直しおよび／または購入を容易にする方法を提供し、方法は：
調節可能なマネキンを提供することであって：
衣服および／または装飾品の予期された利用者の身体にほぼ類似している、外側の輪郭を含む身体；
マネキンに合わせられた衣服および／または装飾品のパフォーマンスの１つまたは複数の定量的表示を提供するための、身体の外側の輪郭に取り付けられた複数のセンサ、および
衣服および／または装飾品のパフォーマンスの１つまたは複数の定量的表示を送信するように動作可能なセンサに接続されたデータ送信インタフェース
を含む調節可能なマネキンを提供すること；
マネキンを衣服および／または装飾品と合わせること；
データインタフェースを介して、マネキンから定量的表示を受信すること；および
データインタフェースを介して、定量的表示のグラフィック表現を利用者に提供すること
を含む。
【００２０】
一実施形態によれば、方法は：
データインタフェースを介して、衣服および／または装飾品の予期された利用者の外側の物理的寸法を受信すること；
受信された外側の物理的寸法に従ってマネキンを調節すること；
をさらに含み、マネキンは、自分の物理的寸法を調節して、利用者の１つまたは複数の外側の身体輪郭を複製するように動作可能な複数の調節可能な装置を含む。予期された利用者の物理的寸法は、予期された利用者の身長、および予期された利用者の身体部分の長さまたは幅のうち１つまたは複数を含んでもよい。
【００２１】
別の実施形態によれば、方法は：
プロセッサ上で、およびパフォーマンスの定量的表示から、衣服および／または装飾品の合い具合の表示を生成すること；および
データインタフェースを介して、表示を利用者に提供すること
をさらに含む。
【００２２】
別の実施形態によれば、方法は：
データインタフェースを介して、衣服および／または装飾品の予期された利用者の１つまたは複数の好みを受信すること；および
１つまたは複数の好みに従ってグラフィック表現および／または定量的表示を調節すること
をさらに含む。
【００２３】
衣服は、ワイシャツ、ブラウス、ドレス、スカート、ベスト、ジャンパー、ジャケット、ズボン、スーツ、靴、帽子または手袋のうち任意の１つまたは複数を含んでもよく、装飾品は、腕時計、スカーフ、ブレスレット、アンクレット、ネックレス、ファッシネータ（ｆａｓｃｉｎａｔｏｒ）またはガードルのうち任意の１つまたは複数を含んでもよい。
【００２４】
さらに別の実施形態によれば、方法は：
マネキンを新しい位置に調節すること；
データインタフェースを介して、衣服および／または装飾品の合い具合に関してマネキンから他の定量的表示を受信すること；および
データインタフェースを介して、マネキンの新しい位置に対応する他の定量的表示のグラフィック表現を利用者に提供すること
をさらに含む。
【００２５】
本発明の理解を支援し、当業者が本発明を実行に移すことができるようにするために、本発明の実施形態が、添付図面を参照して、例としてのみ以下で説明される。
【図面の簡単な説明】
【００２６】
【図１】本発明の一実施形態によるマネキンを示す。
【図２】顧客のためのまたは顧客による、衣服の製作、直しおよび／または購入のためのシステムを示す。
【図３】本発明の一実施形態による、衣服のパフォーマンスの定量的表示のグラフィック表現を示す。
【図４】本発明の他の実施形態によるマネキンを示す。
【図５】本発明の他の実施形態によるマネキンを示す。
【図６】袖のあるワイシャツを含む図５のマネキンを示す。
【図７】本発明の一実施形態による、利用者による衣服の製作、直しおよび／または購入を容易にする方法を示す。
【図８ａ】移動可能ピストンセンサ２２が、顧客の入力形状に応じて、図１のマネキン内部の収縮した位置から、マネキンの外側の異なる伸びた位置までどのように移動するかを連続的に示す。
【図８ｂ】移動可能ピストンセンサ２２が、顧客の入力形状に応じて、図１のマネキン内部の収縮した位置から、マネキンの外側の異なる伸びた位置までどのように移動するかを連続的に示す。
【図８ｃ】移動可能ピストンセンサ２２が、顧客の入力形状に応じて、図１のマネキン内部の収縮した位置から、マネキンの外側の異なる伸びた位置までどのように移動するかを連続的に示す。
【図９】さらに別のマネキンの実施形態１０ｃの胴体の横断面図を示す。
【図１０】本発明を実現することができるコンピュータシステムの概略図である。
【発明を実施するための形態】
【００２７】
本発明の実施形態は、衣服および／または装飾品の製作、直しおよび／または購入を容易にするマネキン、方法およびシステムを含む。図面では本発明の要素が簡潔な概要の形式で例示され、本発明の実施形態を理解するのに必要な特定の詳細だけではあるが、熟練した読者に明白な過度な詳細で本開示を雑然とさせないように示す。
【００２８】
熟練した読者には、適切なサイズのマネキンに衣服および／または装飾品の１つまたは複数の物品を合わせることができ、かつ衣服および／または装飾品のパフォーマンスを測定する際に、衣服または装飾品が利用者にどれだけよく合うかに関して詳細な情報が利用者に提供されることが理解されよう。これは、マネキンからデータを収集するいくつかのセンサをマネキンの上に配置することにより実現される。
【００２９】
マネキンが店内に配置されている場合、顧客は、衣服のパフォーマンスのグラフィック表現を直接見ることができるように、衣服の物品をマネキンに合わせることを要求することがある。あるいは、マネキンが顧客から遠く離れて配置されている場合、パフォーマンスデータをオーバーレイした、マネキンに合わせられた衣服の物品の画像を顧客に提供してもよい。
【００３０】
マネキンにより測定が行われるセンサおよび方法に関して、または顧客が、マネキン上の衣服の実際の品目のパフォーマンスデータを見る方法に関して、技術のさらなる発展により改善がもたらされる場合がある。本発明は、検知し、かつ画像を提供するために現在利用可能なこれらの方法だけに限定されると考えられるべきではない。
【００３１】
マネキンは、人体全体、または人体の部分、たとえば腕、手、足などの身体を表してもよい。マネキンは、動物の身体の部分または任意の他の適切な身体を表してもよい。しかしながら、簡潔にするために、以下の説明は、人体を複製するマネキンだけに言及するが、熟練した読者は、他のタイプの適切な身体に合う本実施形態を容易に採用することができる。
【００３２】
衣服は、たとえば、ワイシャツ、ブラウス、ドレス、スカート、ベスト、ジャンパー、ジャケット、ズボン、スーツ、靴、帽子、手袋および／または他のファッションアクセサリを含んでもよい。装飾品は、たとえば、腕時計、スカーフ、ブレスレット、アンクレット、ネックレス、馬の鞍、ファッシネータおよび／またはガードルを含んでもよい。簡潔にするために、以下の説明は、衣服だけに言及するが、熟練した読者は、他のタイプの適切な装飾品に合う実施形態を容易に採用することができる。
【００３３】
図１は、本発明の一実施形態によるマネキン１０ａを示す。詳細には、マネキン１０ａは、細長い楕円円筒形の胴体１２、ならびにそれぞれ細長い円筒形である首１４、腕１６および脚１８を含む。頭部２０も首１４の上に配置される。マネキン１０ａは非常に基本的な形で人体を複製する。
【００３４】
衣服の予期された利用者の身体は、胴体１２、首１４の長さ、およびそれぞれの肢１６、１８の長さを調節することにより複製される。この点、身体部分１２、１４、１６、１８の各々は、所望の位置に伸長可能であり、かつ固定可能であるように作られる。たとえば、顧客の身長、胴体および腰の寸法、腕の長さ、脚の長さなどの詳細が既知である場合、マネキン１０ａはこれらの寸法に調節することができる。
【００３５】
マネキン１０ａは、胴体１２、首１４、腕１６および脚１８の各々の上に配置された複数の移動可能ピストンセンサ２２を含む。移動可能ピストンセンサ２２は、各身体部分１２、１４、１６、１８から外側に伸びるように適合され、同じく、この工程を繰り返すことができるように、これらの元の位置に再度収縮させられるように適合される。移動可能ピストンセンサ２２は、マネキン１０ａに合わせられた衣服および／または装飾品のパフォーマンスの１つまたは複数の定量的表示を提供するためのセンサを含む。
【００３６】
移動可能ピストンセンサ２２は、マネキンに合わせられた衣服により、移動可能ピストン２２に加えられる力を測定する。移動可能ピストンセンサ２２は、最初、利用者の１つまたは複数の外側の身体輪郭を複製するように配置される。衣服がマネキン１０ａに適用されたとき、特に、衣服がきつい場合、移動可能ピストンセンサ２２に力が加えられる。加えられる力は、衣服のきつさを判定するために使用されてもよい。
【００３７】
一実施形態では、移動可能ピストンセンサ２２は、マネキン１０ａに合わせられた衣服または装飾品の任意の品目に対抗する力を加える。対抗する力は、利用者の皮膚または筋肉の組織により衣服または装飾品の物品に加えられる対抗する力を複製する。利用者の身体により加えられる対抗する力に一致する対抗する力を加えることにより、移動可能ピストンセンサ２２は、マネキンの外観、および移動可能ピストンセンサ２２の圧力読取値が、利用者に合わせられたときの、衣服の外観および圧力に一致することを保証する。
【００３８】
衣服がマネキン１０ａに適用されると、マネキン１０ａは、移動可能ピストンセンサ２２により顧客の寸法に従って調節される。移動可能ピストンセンサ２２は、有利なことに、小さすぎる衣服が損傷するのを防止するために、上限の圧力しきい値を有する。別の方法では、利用者の外側の身体輪郭を複製するために必要な圧力が、衣服が適用されたときに測定される。
【００３９】
マネキン１０ａは、センサの、衣服のパフォーマンスの１つまたは複数の定量的表示を送信するように動作可能な移動可能ピストンセンサ２２に接続されたデータ送信インタフェースをさらに含む。データ送信インタフェースは、移動可能ピストンセンサ２２のすべての圧力を、個々に、かつ変換せずに送信してもよい。あるいは、マネキン１０ａは、複数の移動可能ピストンセンサ２２からのデータを一緒に送信可能な、または代わりに、フィルタリングされた、または変換されたバージョンの圧力を提供する、データ変換機能を含んでもよい。
【００４０】
データ送信インタフェースは、未加工データの転送、およびＴＣＰ／ＩＰまたは類似のプロトコルなどのプロトコルを使用したデータ転送を含む、任意の適切なデータ送信インタフェースを含んでもよい。
【００４１】
移動可能ピストンセンサ２２の動きおよび検知は、任意の適切な公知の手段を使用して実現されてもよく、電動アクチュエータまたは正確なサーボモータを使用してもよい。移動可能ピストンセンサ２２は、移動可能ピストンセンサ２２の伸長および／または収縮が、移動可能ピストン２２の一端の物理的位置だけを変えるように、伸縮自在でもよい。
【００４２】
複数の移動可能ピストンセンサ２２は、移動可能ピストンセンサ２２が、各身体部分１２、１４、１６、１８の長さに沿って１つもしくは複数の曲線および／または１つもしくは複数の輪郭を複製するだけでなく、１つもしくは複数の曲線および／または１つもしくは複数の輪郭上の身体部分のパフォーマンスを正確に検知することができるようになる密度で配置される。
【００４３】
たとえば、脚１８の移動可能ピストンセンサ２２は、顧客のふくらはぎ、ひざおよび／または大腿の部位の外側の身体輪郭を複製し、したがって、顧客のふくらはぎ、ひざおよび／または大腿の部位上の衣服に対応する圧力を正確に検知するために伸ばす、および／または収縮させることができる。胴体１２の移動可能ピストンセンサ２２は、同様に、顧客の臀部、腰背部、上背、腋の下の領域、肩、腹および／または胸の部位の外側の身体輪郭を複製し、かつこれらに対する圧力を検知するために伸ばす、および収縮させることができる。腕１６の移動可能ピストンセンサ２２は、顧客の前腕、肘および／または上腕の外側の身体輪郭を複製し、かつこれらに対する圧力を検知するために伸ばす、および／または収縮させてもよい。二頭筋、胸筋、腹、臀部、大腿四頭筋および／またはネックパネル２４の移動可能ピストンセンサ２２は、顧客の二頭筋、胸筋、腹、臀部、大腿四頭筋および／または首の外側の身体輪郭を複製し、かつこれらに対する圧力を検知するために伸ばす、および、または収縮させてもよい。
【００４４】
センサおよび／または調節可能な装置は、たとえば、マネキン１０ａの外側の身体輪郭を規定するため、および加えられる圧力を測定するために、水圧により、および／または空気圧により動作してもよいことを当業者は理解されよう。ばねなどの他の技術が、圧力を測定するため、および／または外側の身体輪郭を規定するために使用されてもよい。同様に、センサおよび調節可能な装置は分離していてもよい。たとえば、センサは、調節可能な装置の上の、または調節可能な装置に隣接した場所であってもよい。
【００４５】
代替の一実施形態では（図示せず）、複数の調節可能な装置は、マネキン１０ａの外側の身体輪郭を調節して、顧客の外側の身体輪郭に類似するため、および圧力を正確に検知するために使用される、膨張可能な空気袋センサを含む。特定の一実施形態では、移動可能ピストンセンサ２２および膨張可能な空気袋センサの組合せが使用され、２つのタイプの装置は、身体の異なる部分に対してマネキン１０ａの外側の身体輪郭を規定するために使用される。
【００４６】
図２は、顧客のためにまたは顧客により、衣服を製作する、直す、および／または購入するためのシステム２００を示す。
【００４７】
システム２００は、マネキン１０ａおよびコンピュータ２０５を含む。コンピュータ２０５は、グラフィカル・ユーザ・インタフェース２１０の形で、利用者の測定値を受信するための受信インタフェースを含む。測定値は、利用者の１つまたは複数の外側の身体輪郭と関連づけられる。
【００４８】
顧客は、自分自身、もしくは友人などの他の人により、または店内の環境では店員により測定されてもよい。
【００４９】
顧客の外側の身体輪郭は、動きと共に変化するように、動的である。たとえば、外側の身体輪郭は、歩く、走る、かがむ、突くおよび／またはしゃがむことで変化する。測定値は、２つ以上の姿勢での測定値を含んでもよい。２つ以上の姿勢は、立っている姿勢および、または１つもしくは複数の他の姿勢を含んでもよい。立っている姿勢は、顧客が、足を揃えて、肩幅に広げて、くつろいで、背中を伸ばして立っている位置で測定されてもよい。
【００５０】
１つまたは複数の他の姿勢は、片方または両方の肘を直角に曲げる；片方または両方のひざを直角に曲げる；片方または両方の肘を最大まで曲げる；片方または両方のひざを最大まで曲げる；伸ばした腕および最大角度の間の角度まで片方または両方の肘を曲げる；片方または両方のひざをまっすぐおよび最大角度の間の角度に曲げる；顧客が片ひざをつく；顧客が両ひざをつく；顧客が突く；顧客が部分的に突く；顧客がしゃがむ；顧客が部分的にしゃがみ込む；顧客が背を曲げる；顧客が脚を合わせる；顧客が脚を肩より広げる；腕を横に上げる；腕を前に上げる；腕を頭の上に上げることを含んでもよい。
【００５１】
コンピュータ２０５により顧客の動きおよび身体形状の動的範囲を構築するために、２つ以上の姿勢が使用されてもよい。
【００５２】
測定値は、顧客が行う動作に関連する測定値を含んでもよい。このような動作の一例が、ゴルフのスイング、または特定の方法で曲げることである。これにより、特定の動作が行われたときに、システム２００が、パフォーマンスの１つまたは複数の定量的表示を決定することが可能になる。
【００５３】
次いで、測定値は、グラフィカル・ユーザ・インタフェース２１０の中に入力されてもよい。代替の一実施形態では、データは、顧客によりインターネットを介してアップロードされてもよい。この場合、コンピュータ２０５は、ウェブブラウザを介してグラフィカル・ユーザ・インタフェース２１０を遠隔の利用者に提供するウェブサーバを含んでもよい。
【００５４】
グラフィカル・ユーザ・インタフェースはまた、パフォーマンスの定量的表示に関連する１つまたは複数の好みを受信するために使用されてもよい。このような好みは、ゆったりした襟に対する強い好み、体にフィットしたズボンに対する好みまたは任意の他の適切な好みを含んでもよい。
【００５５】
コンピュータは、有線接続２１５によりマネキン１０ａに動作可能に接続される。熟練した読者により容易に理解されるように、有線接続２１５および無線接続の組合せでもよいが、同様に無線接続が使用されてもよい。コンピュータ２０５は、複数の移動可能ピストンセンサ２２により受信可能な信号に測定値を変換する。次いで、この信号により、移動可能ピストンセンサ２２の動きが、入力測定値に従って電気的に制御される。
【００５６】
コンピュータ２０５は、マネキンに合わせられた衣服のパフォーマンスの１つまたは複数の定量的表示を受信するための受信インタフェースをさらに含む。パフォーマンスの定量的表示は、複数のセンサにより読み取られた未加工のデータ、またはフィルタリングされたデータを備えてもよい。
【００５７】
コンピュータ２０５は、マネキンに合わせられた衣服および／または装飾品のパフォーマンスの定量的表示のグラフィック表現を生成するための提示モジュールを含む。好みだけでなく、たとえば経験的データも、グラフィック表現を生成する前にデータをフィルタリングするために使用してもよい。このようなフィルタリングは、特定の定量的表示を誇張する、または無視することを含んでもよい。
【００５８】
本発明は、顧客から外側の身体輪郭データを得る任意の１つの方法、またはそのようなデータをマネキンに伝達して、外側の身体輪郭が顧客のものと類似するように、マネキン１０ａの外側の身体輪郭を確立するために、移動可能ピストンセンサ２２または他の装置の物理的位置を調節するための任意の１つの方法に限定されない。
【００５９】
本発明の代替の一実施形態では、システム２００は、スキャン装置をさらに含む。スキャン装置は、顧客の外側の身体輪郭をスキャンする目的で、レーザまたは任意の他の技術を使用する３次元スキャン技術を含んでもよい。
【００６０】
顧客の外側の身体輪郭を得るためにスキャンシステムが使用されたとき、１つまたは複数の他の姿勢が、たとえば、顧客が歩く；走る；突く；しゃがむ；およびひざまたは肘を曲げる動作を含んでもよい。
【００６１】
図３は、本発明の一実施形態による、衣服のパフォーマンスの定量的表示のグラフィック表現３００を示す。
【００６２】
グラフィック表現３００は、マネキンに合わせられた衣服の画像３０５、およびパフォーマンスの定量的表示を表すコード化されたオーバーレイ３１０を含む。
【００６３】
コード化されたオーバーレイ３１０は、異なる透過度の領域を含み、オーバーレイの透過度のレベルが、定量的表示の大きさを示す。
【００６４】
当業者により容易に理解されるように、コード化されたオーバーレイ３１０は、オーバーレイではなく完全な画像として表されてよい。同様に、透過度の代わりに、定量的表示の大きさを示すために、色の明るさが使用されてもよい。たとえば、特にきつい領域を示すために、明るい赤色が使用されてもよく、きついけれどもそれほどきつくない領域を示すために薄ぼんやりした赤色が使用されてもよい。
【００６５】
コード化されたオーバーレイ３１０は、一定のしきい値を上回るまたは下回る定量的表示レベルがまったく示されないような、データのしきい値処理を含んでもよい。簡単な一実施形態では、コード化されたオーバーレイ３１０は、単に２つの値を、すなわち潜在的な問題の有無を示すための２つの値を有してもよい。
【００６６】
図３のコード化されたオーバーレイ３１０は、腹部周辺でワイシャツが窮屈であることを示す。
【００６７】
代替の一実施形態では（図示せず）、複数のタイプの定量的表示が、コード化されたオーバーレイ３１０の形で示される。各タイプの量は、異なる色を使用してコード化され、各色の透過度レベルが、定量的表示の大きさを示す。
【００６８】
衣服または装飾品の物品により覆われないマネキンの任意の部分について、衣服または装飾品の品目が配置されたマネキンの画像を見るときのユーザ体験を改善するために、これらの覆われていない部分を、利用者を表す画像と置き換えるように、画像が調節される。一実施形態では、覆われていない部分は、利用者の皮膚の色調と類似する皮膚の色調の画像と置き換えられる。
【００６９】
別の実施形態では、服を着たマネキンの画像は、覆われていない部分を、利用者の外側の寸法を得るために利用者の身体をスキャンする過程の間に取り込まれた、利用者の対応する身体部分の実際の表現と置き換えるように調節される。マネキンの画像を調節して、マネキンの覆われていない部分について利用者のこの画像の身体部分に合体させることで、利用者が着用したときに衣服の品目がどのように見えるかに関して最良の表現が利用者に提供される。
【００７０】
図４は、本発明の一実施形態によるマネキン４００を示す。マネキン４００は、身体の外側の輪郭に取り付けられた複数のセンサを、圧力センサ４０５および気流センサ４１０の形で含む。
【００７１】
気流センサ４１０は、送風機および空気循環センサを備える。気流センサ１４０は、どれだけ暑いか、または衣服の品目がどれだけ身体に近接して感じられることがあるかを検出する際に有利な場合がある。
【００７２】
当業者により容易に理解されるように、他のタイプのセンサには、保温センサ、織物の柔軟さまたは質感センサ、衣服の透過度センサ、材料応力センサ、衣服の伸長センサおよび衣服の完全性を検出するセンサが含まれる。
【００７３】
マネキンに加えられる圧力の表示を提供するために、マイクロセル検知、機械式微分検知、ロードセルおよび／もしくはひずみ計、専用圧力センサ、触覚センサ、光ファイバセンサ、誘導センサならびに／または圧電センサなどの任意の適切な検知技術が利用されてもよい。
【００７４】
マイクロセルセンサは、水圧または空気圧の変化を測定するために、移動可能ピストンセンサ２２の内部に封じ込められても、側面の中に挿入されてもよい。
【００７５】
機械式微分センサは、衣服を合わせて、または衣服を合わせないで、一瞬の間、体形を大きくするために、機械的アクチュエータにより消費されるエネルギーを監視してもよい。２つのエネルギー読取値間の差は、合わせた衣服のきつさの相対的表示を提供するために較正されてもよい。
【００７６】
ロードセルおよび／またはひずみ計は、移動可能ピストンセンサ２２の内側に配置されても、マネキンの表皮の表面に適用されてもよい。典型的には、これらは抵抗性を有する構成要素であるが、誘導性、容量性または圧電性などの他の技術が利用されてもよい。抵抗性変換器は、予測可能かつ再現可能な方法で、センサの表面に加えられる力のレベルに従って自身の抵抗を変化させる。
【００７７】
専用圧力センサは、マイクロセル検知に類似する方法で動作してもよい。センサは、圧搾された、または圧力をかけられたときに、加えられた力のレベルを示す電気信号を提供することができる、空気センサおよびロードセルセンサが一体化された容積からなってもよい。この利点は、利用者の外側の身体輪郭を複製するために使用される構成要素にごく接近してこのセンサを配置することができることである。
【００７８】
触覚センサは、可撓性のあるバッキングテープ上の銀の２層間に存在する圧電抵抗材料から構築されてもよい。このタイプの技術の利点は、触覚センサは小型で、軽量で、可撓性があることである。さらに、センサ領域は、いくつかの検出器を狭い領域に集中させるアレイの形で構築されてもよい。
【００７９】
光ファイバセンサは、広範な光学原理を使用することにより動作してもよく、基本的に、単一地点の圧力および／または力の測定を可能にする光ファイバを利用してもよい。このタイプのセンサの利点は、ファイバ自体が小さな質量を有することができ、ほとんど信号劣化せずに長距離にわたり信号を送信することができることである。
【００８０】
誘導センサは、インダクタンスの変化によって、隔壁の変位を測定することにより動作してもよい。これらのセンサは、ロードセルセンサとサイズが類似していることがある。
【００８１】
圧電センサは、力が加えられたときに発生する、結晶内の圧電効果（すなわち測定可能な電圧）を使用する。
【００８２】
これらのセンサの大部分は、能動または受動のセンサネットワークの形で配置されてもよい。特に、データをホストコンピュータに返送するために、有線、無線、受動ＲＦまたは光の技術が利用されてもよい。
【００８３】
圧力センサは、顧客が服を日々、身に着けて快適かどうかを判定するために、服が２つ以上の姿勢で身体に加える圧力を測定し、顧客に報告してもよい。
【００８４】
圧力センサを使用する代わりに、移動可能ピストンセンサ２２は、ひとたび圧力センサが顧客の外側の身体輪郭に合うように伸ばされると、衣服の物品が圧力センサを押すと圧力センサが収縮するように、接触に対する感度が高くてもよい。したがって、移動可能ピストンセンサ２２は、バイアスをかけられ、衣服の物品がどのように見えるかを顧客に示すために、圧力が加えられたときに収縮してもよい。
【００８５】
このような動きが記録されてもよく、これはまた、衣服の物品が身体に対してどこに、およびどの程度圧力を加えているかの表示を提供する。
【００８６】
圧力センサは、移動可能ピストンセンサ２２の各々の上に含まれてもよい、または移動可能ピストンセンサのサブセットだけの上に含まれてもよい。有利なことに、圧力センサは少なくとも１つの移動可能ピストンセンサ２２の上、または首、肩、二頭筋、手首、胸、上半身、腰および腹などの、合わせることが重要であることが知られている領域内の、移動可能ピストンセンサ２２の適切なサブセットの上に含まれる。たとえば、二頭筋上の１つの移動可能ピストンセンサ２２が、圧力の適切な指標を与えることがあるが、首または腰の周りを囲むセンサのリングが必要なこともある。
【００８７】
一実施形態では、衣服により移動可能ピストンセンサ２２に加えられる圧力は、衣服が合わせられたときに、衣服を伸ばすために移動可能ピストンセンサ２２に供給される電流により測定される。
【００８８】
他の実施形態では、衣服により移動可能ピストンセンサ２２に加えられる圧力は、マネキン１０ａ、４００上で衣服のきつさを測定することにより決定される。この実施形態では、きつさは、衣服の伸長を測定することにより計られる。この例では、圧力表示は、マネキン１０ａ、４００を、マネキン１０ａ、４００が受け取る圧力に関して報告することができる特殊な織物で覆うことにより、および／または化学構造の変化を測定することにより提供される。
【００８９】
マネキンはまた、合い具合の他の定量的表示、たとえば気流、体熱、織物の柔軟さ、衣服の透過度、ストレステスト、顧客の体重変化許容度ならびに衣服および／または装飾品の完全性を提供してもよい。
【００９０】
気流表示は、合わせられた衣服および／または装飾品の下に、空気が送り出される開口部を備えるマネキン１０ａ、１０ｂ、１０ｃ、ならびに送風機により提供されてもよい。気流表示は、十分なまたは不十分な気流の表示、および服を着たときの発汗レベルの推定値を顧客に提供する。
【００９１】
体熱表示は、１つまたは複数の発熱体、ならびにマネキン１０ａ、４００および衣服の間の気温、ならびに／または衣服および／もしくは装飾品を通って放散する熱を測定するための複数の温度計を備えるマネキン１０ａ、４００により提供されてもよい。複数の温度計からの温度読取値は、合わせられた衣服を通して熱がどのように放散するか、ならびに衣服が寒い天候にどれだけ適しているか、異なる天候条件および推奨温度範囲で衣服がどれだけ快適かの表示を提供する。
【００９２】
織物の柔軟さ表示は、合わせられた衣服および／または装飾品が構成される材料の柔軟さを測定するための圧力センサを使用することにより提供されてもよい。織物の柔軟さの測定値は、織物がどれだけ柔軟か、および／または合わせられた衣服が裸体で着用するのに適しているかどうかの表示を提供してもよい。この実施形態は、下着を購入する、および／または敏感肌を有する顧客に特に魅力があり、本発明は、敏感肌および普通肌に適した柔軟さの範囲を提供してもよい。織物の透過度表示は、合わせられた衣服を通して光を投影するための１つまたは複数の光を備えるマネキン１０ａ、４００により提供されてもよい。これにより、衣服が、着用したときにシースルーであるかどうか、および透過度を低下させるように適切な下着を着用すべきかどうかに関する確認が顧客に提供される。体重変化許容度指標は、移動可能ピストンセンサ２２を伸ばすことにより、体重変化に従う身体輪郭への変化を複製するようにマネキン１０ａ、４００が操作されることにより提供されてもよい。体重変化は、身体全体に分散させてもよい、または１つの領域に、たとえば腹、腰回り、臀部または大腿に局在化させてもよい。体重変化は、体重１、２、３、４または５キログラムの増加または減少でもよい。モデルを使用する代わりに、体重変動の正確な測定値および分布を提供するために、体重変動中に顧客がスキャンされてもよい。
【００９３】
ストレステスト指標は、マネキン１０ａ、４００に、たとえば動的におよび／または２つ以上の姿勢の間で姿勢を変えさせて、必要な場合、たとえば力こぶを作った筋肉の位置で伸ばさせる、または関節を曲げて、服の縫い目が長期にわたる着用に適しているかどうかを評価させることにより提供されてもよい。写真またはビデオの画像が、縫い目に特に注意したストレステスト中に得られ、耐久性の視覚的評価の報告と共に顧客に送信されてもよい。
【００９４】
衣服および／または装飾品の完全性指標は、衣服および／または装飾品が構成される布地または材料の調和を、服を着たマネキン上でチェックすることにより提供されてもよい。有利なことに、これにより、衣服および／または装飾品に何らかの穴または損傷があるかどうかに関する報告が可能になる。
【００９５】
図５は、本発明の他の実施形態によるマネキン１０ｂを示す。マネキン１０ｂはマネキン１０ａに類似するが、人体にさらによく類似している。
【００９６】
マネキン１０ｂは、人体の主要な筋肉に実質的に類似する複数の身体パネル２４を含み、たとえば、各二頭筋に対するパネル２４、各胸筋に対するパネル２４などが存在する。多数のパネルを含む代わりに、必要な場合、単一の湾曲したパネル２４が使用されてもよい。
【００９７】
各パネルの背後には、衣服の品目によりパネルに加えられる圧力の量を検出するための圧力センサ（図示せず）が存在する。
【００９８】
マネキン１０ｂは、各パネル上に配置された複数のセンサ３２を含む。前述のように、任意のタイプのセンサ３２、すなわち保温センサ、織物の柔軟さまたは質感センサ、衣服の透過度センサ、材料応力センサ、衣服の伸長センサおよび衣服の完全性を検出するセンサが使用されてもよい。
【００９９】
マネキン１０ｂは、姿勢を変えることができるように、少なくとも２つのパネル間に可撓性のあるジョイントをさらに含む。ジョイントは、機械的に動作させられてもよい。
【０１００】
図６は、図５に示されているが、袖のあるワイシャツ３６を含むマネキン１０ｂを示す。
【０１０１】
図７は、本発明の一実施形態に従って、利用者による衣服の製作、直しおよび／または購入を容易にする方法７００を示す。
【０１０２】
ステップ７０５で、衣服および／または装飾品の予期された利用者の外側の物理的寸法が、データインタフェースを介して受信される。
【０１０３】
ステップ７１０で、マネキンに衣服および／または装飾品が合わせられる。マネキンは、マネキンに合わせられた衣服および／または装飾品のパフォーマンスの１つまたは複数の定量的表示を提供するために、身体の外側の輪郭に取り付けられた複数のセンサを含む。マネキンは、自分の物理的寸法を調節して、利用者の１つまたは複数の外側の身体輪郭を複製するように動作可能な複数の調節可能な装置をさらに含む。
【０１０４】
ステップ７１５で、マネキンは、受信された外側の物理的寸法に従って調節される。
【０１０５】
ステップ７２０で、定量的表示が、データインタフェースを介してマネキンから受信される。
【０１０６】
ステップ７２５で、定量的表示のグラフィック表現が、データインタフェースを介して利用者に提供される。
【０１０７】
図８ａ〜図８ｃは、移動可能ピストンセンサ２２が、顧客の入力形状に応じて、マネキン１０ａの内側の収縮した位置から、マネキン１０ａの外側の異なる伸びた位置までどのように移動するかを連続的に示す。特に、マネキン１０ｂの胴体部位を通る横断面が示されている。図８ｃは、衣服３４の品目が適用された同一マネキン１０ａを示し、移動可能ピストンセンサ２２に対して反対に圧力を加えている。
【０１０８】
図９は、さらに別のマネキンの実施形態１０ｃの胴体の横断面図を示す。マネキン１０ａのように円筒形の身体部分を、またはマネキン１０ｂのように複数のパネルから構成される中空の身体を有する代わりに、マネキン１０ｃは、身体の縦軸を通って伸びる単一の平坦なパネル４０を含み、複数の移動可能ピストンセンサ４２が、マネキン１０ｂのパネルまたはマネキン１０ａの伸びた移動可能ピストンセンサ２２の位置の程度に類似する程度までマネキン１０ｃの外側に伸びる。マネキン１０ａに関連して上述したように、移動可能ピストンセンサ４２は、必要に応じて任意の公知の手段により伸ばすことができ、たとえば、伸縮自在でもよい。
【０１０９】
上記のマネキン１０ａおよび１０ｂと同様に、マネキン１０ｃはまた、上記でマネキン１０ａを参照して概説したように、マネキンの姿勢に応じて外側の身体輪郭を変えてもよい。
【０１１０】
マネキン１０ａ、１０ｂ、１０ｃのいずれも、顧客の体形に対する衣服の合い具合の定量的表示をさらに提供するために、上記で説明されたセンサに追加したセンサをさらに含んでもよい。合い具合の１つまたは複数の定量的表示は、着用したときに衣服により加えられる、合わせたきつさによる圧力の表示、気流、体熱、織物の柔軟さ、衣服の透過度、ストレステストおよび体重変化許容度の表示を含んでもよい。定量的表示は、衣服もしくは材料の品質、縫い目の品質、材料の厚さ、または衣服の品目の合い具合ではなく、むしろ衣服の他の特性、たとえば品質を直接変化させることがある類似物などの尺度をさらに含むことができる。
【０１１１】
上述のシステムおよび方法が有用であることが分かることがある一例が、人が並外れて大きなネック幅（ｎｅｃｋ  ｗｉｄｔｈ）を有することがあり、かつワイシャツを購入すること望む場合である。マネキン１０ａ、１０ｂおよび／または１０ｃを使用することにより、ワイシャツは顧客の胴体および腕の部位に適していることがあったとしても、首回りに不快な圧力が加えられることがあることが示される。圧力センサなどを使用する際、このような情報を取り出して、顧客に中継して戻すことができ、次いで、顧客は情報に基づく判断を下してもよい。
【０１１２】
図１０は、本発明を実現することができるコンピュータシステム１０００の概略図である。
【０１１３】
コンピュータシステム１０００は、中央処理装置１００２、システムメモリ１００４、およびシステムメモリ１００４を含むさまざまなシステム構成要素を中央処理装置１００２に結合するシステムバス１００６を含む。システムバス１００６は、メモリバスまたはメモリコントローラ、周辺バス、およびさまざまなバスアーキテクチャのいずれかを使用するローカルバスを含む、いくつかのタイプのバス構造のうちいずれでもよい。システムメモリ１００４の構造は、当業者に周知であり、読出し専用メモリ（ＲＯＭ）に格納された基本入出力システム（ＢＩＯＳ）、ならびに１つまたは複数のプログラムモジュール、たとえばオペレーティングシステム、アプリケーションプログラムおよびランダム・アクセス・メモリ（ＲＡＭ）に格納されたプログラムデータを含んでもよい。
【０１１４】
コンピュータシステム１０００はまた、データを読み出す、および書き込むためのさまざまなインタフェースユニットおよびドライブを含んでもよい。詳細には、コンピュータシステム１０００は、ハード・ディスク・ドライブ１０１２および取り外し可能メモリドライブ１０１４をそれぞれシステムバス１００６に結合するハード・ディスク・インタフェース１００８および取り外し可能メモリインタフェース１０１０を含む。取り外し可能メモリドライブ１０１４の例は、磁気ディスクドライブおよび光ディスクドライブを含む。ドライブ、およびそれに関連するコンピュータ可読媒体、たとえばデジタル多用途ディスク（ＤＶＤ）１０１６は、コンピュータシステム１０００のためのコンピュータ可読命令、データ構造、プログラムモジュールおよび他のデータの不揮発性記憶装置を提供する。単一のハード・ディスク・ドライブ１０１２および単一の取り外し可能メモリドライブ１０１４が、例示の目的のためだけに、かつコンピュータシステム１０００はこのようなドライブをいくつか含んでもよいという理解の下で示されている。さらに、コンピュータシステム１０００は、他のタイプのコンピュータ可読媒体とインタフェースするためのドライブを含んでもよい。
【０１１５】
コンピュータシステム１０００は、装置をシステムバス１００６に接続するための追加のインタフェースを含んでもよい。図１０は、装置をシステムバス１００６に結合するために使用されてもよいユニバーサル・シリアル・バス（ＵＳＢ）インタフェース１０１８を示す。追加の装置をコンピュータシステム１０００に結合するために、ＩＥＥＥ１３９４インタフェース１０２０が使用されてもよい。
【０１１６】
コンピュータシステム１０００は、１つまたは複数の遠隔コンピュータまたは他の装置、たとえばサーバ、ルータ、ネットワークのパーソナルコンピュータ、ピア装置もしくは他の通信ノード、無線電話または無線の携帯情報端末への論理接続を使用して、ネットワーク環境で動作することができる。コンピュータ１０００は、システムバス１００６をローカル・エリア・ネットワーク（ＬＡＮ）１０２４に結合するネットワークインタフェース１０２２を含む。ネットワーキング環境は、会社、企業内コンピュータネットワークおよび家庭のコンピュータシステムでは一般的である。
【０１１７】
インターネットなどの広域ネットワーク（ＷＡＮ）も、たとえば、シリアル・ポート・インタフェース１０２６に接続されたモデムユニットを介して、またはＬＡＮ１０２４を介して、コンピュータシステム１０００によりアクセスすることができる。
【０１１８】
図に示され説明されたネットワーク接続は例示であり、かつコンピュータ間の通信リンクを確立する他の方法を使用することができることが理解されよう。さまざまな周知のプロトコル、たとえばフレームリレー、イーサネット、ＴＣＰ／ＩＰ、ＦＴＰ、ＨＴＴＰなどのいずれも存在することが想定され、コンピュータシステム１０００は、利用者がウェブページをウェブベースのサーバから取り出すことができるようになるクライアントサーバ構成で動作することができる。さらに、さまざまな従来のウェブブラウザのいずれも、ウェブページ上にデータを表示し、かつ操作するために使用することができる。
【０１１９】
コンピュータシステム１０００の動作は、さまざまな異なるプログラムモジュールにより制御することができる。プログラムモジュールの例が、特定のタスクを遂行する、または特定の抽象データ型を実現するルーチン、プログラム、オブジェクト、コンポーネントおよびデータ構造である。本発明はまた、ハンドヘルド装置、マルチプロセッサシステム、マイクロプロセッサベースのまたはプログラム可能な家庭用電子機器、メインフレームコンピュータ、携帯情報端末などを含む他のコンピュータシステム構成で実施されてもよい。さらに、本発明はまた、通信ネットワークを通じて連結される遠隔処理装置よりタスクが実行される分散コンピューティング環境で実施させてもよい。分散コンピューティング環境では、プログラムモジュールは、ローカルメモリ記憶装置および遠隔メモリ記憶装置の両方に配置されてもよい。
【０１２０】
本発明は、顧客の身体を正確に反映して、衣服の物品の購入を確約する前に、服の外観および合い具合に関する顧客の評価を支援するように調節することができるマネキンを使用して、オン・ライン・ショッピングの環境で衣服の購入を容易にするのに特によく適している。この点、顧客が、パーソナル通信装置、たとえばパーソナルコンピュータ、携帯情報端末または適切に装備された携帯電話を使用して、オンライン小売店により販売用に提供されたある範囲の衣服を検討してもよく、顧客の外側の物理的寸法を表すデータの提供後に、顧客のサイズに調節されたマネキンに合わせられた衣服のさまざまな物品の画像を要求してもよい。この過程の間に、店員が、顧客による衣服の物品の選択に関して手引きしてもよく、顧客にさらによく合う可能性がある代わりの物品またはおそらくは代わりのサイズを提案してもよい。
【０１２１】
本発明の一実施形態では、顧客は、パーソナル通信装置上で実行されているソフトウェアを動作させて、衣服の物品を選択し、それをマネキンに合わせることを要求するため、およびこの衣服の物品の画像を検討後に、衣服の物品を注文する、またはこの購入を断るために必要なステップを行う。その代わりに、顧客は、自分の体形およびサイズにさらによく合う衣服の物品に代えることを要求してもよい。
【０１２２】
当業者により容易に理解されるように、マネキンは、定量的パフォーマンスデータを提供するある範囲のセンサの任意の１つまたは複数を備えて製造されてもよい。マネキン１０ａは、ワンステップ技術および再利用可能な技術を含む１つまたは複数の成形技術により形成されてもよい。ワンステップ技術は精密であってもよく、骨格の上に部分を組み立てる必要があってもよい。
【０１２３】
ワンステップ技術の一例が、人の正確な３Ｄ複製を形成するために、材料の連続層が付加される３Ｄラピッドプロトタイピングである。３Ｄラピッドプロトタイピングの例は、粉末焼結積層造形法（ｓｅｌｅｃｔｉｖｅ  ｌａｓｅｒ  ｓｉｎｔｅｒｉｎｇ、ＳＬＳ）；光造形法（ｓｔｅｒｅｏ  ｌｉｔｈｏｇｒａｐｈｙ  ａｐｐａｒａｔｕｓ、ＳＬＡ）；３Ｄプリンティング；および／または射出成形を含む。
【０１２４】
３Ｄプリンティングは、熱溶融状態のプラスチック材料を利用してもよい。
【０１２５】
プラスチック材料は加熱され、高圧の下で型の中に押し込まれる。材料は固体になるまで冷却することができ、型から排出される。
【０１２６】
ワンステップ技術の他の例が真空成形である。真空成形は、形作られた型に対して熱いプラスチックシートを引き伸ばすことにより正確な身体形状を表す薄いプラスチックシェルを作り出すことを備えてもよい。
【０１２７】
ワンステップ技術の他の例が、膨張可能なプラスチックである。膨張可能なプラスチックは、２Ｄプラスチックシート裁断機が前面および背面（またはそれ以外）のパネルを切断するように、３Ｄ身体スキャンデータを変換することを備えてもよい。これらのパネルは、一緒に固定され、次いで、すべての部分が膨張させられ、人体のフルサイズの複製を作り出す。
【０１２８】
ワンステップ技術のさらに他の例が、静的ビルディングブロックである。静的ビルディングブロックは、さまざまな形状およびサイズの肢および胴体の部分のライブラリを利用する。３Ｄ身体データが解析され、スキャンされたデータによく似ている部分が、選択のために識別される。オペレータが、所望の部分を選択し、衣服に合わせる前に骨格にこれらの部分を取り付ける。
【０１２９】
再利用可能な技術は、粗い調節および微細な調節の範囲を必要としてもよい。粗い調節は、広いダイナミックレンジの人々に近い近似を実現してもよく、微細な調節は、顧客の外側の身体輪郭を正確に複製するために微細な変動を実現してもよい。
【０１３０】
これらの再利用可能な技術は、一般に、肢（腕および脚）および胴体の長さを実現するための調節可能な骨格構造、ならびに骨格周りの形状を付与する調節可能な整形技術を有する。
【０１３１】
再利用可能な技術の一例が、空気圧セルおよび／または水圧セルである。空気圧セルおよび／または水圧セルは、空気圧または水圧で膨張または収縮することができ、体形の粗い調節および微細な調節を提供するために使用されてもよい。微細な調節は、各セルを個々に制御することにより実現される。
【０１３２】
再利用可能な技術の他の例が、電気的ブロックおよび／または機械的ブロックである。電気的ブロックおよび／または機械的ブロックは、電気的アクチュエータおよび機械的アクチュエータの組合せを使用して、粗いおよび微細な調節形状の両方を形成してもよい。粗い調節の一例が、マネキン１０ａに適合されたモータおよびギアボックス駆動システムである。この場合、電気的に動力を提供されたアクチュエータが、形状サイズを提供するために制御されてもよい。
【０１３３】
再利用可能な技術の他の例が、ケーブルおよび／またはロープを利用して、体形の外周（またはバンド）を形成することである。複数のケーブルおよび／またはロープが、立った姿勢の人体を形成するために垂直に積み重ねられ、ケーブル／ロープは皮膚の内側に編まれたアイレットを通して連結されてもよい。さまざまな身体の外形を模倣するのに適した不規則な形状を作り出すために、単一のスライスに対して複数のモータ／ロープを使用することができる。センサは、ロープに加えられる圧力を検出することを備えてもよい。
【０１３４】
当業者により容易に理解されるように、本発明による衣服および／または装飾品は、靴およびブーツなどの履物を含む。図示していないが、身体と同様に、移動可能ピストンセンサ２２は、人の足を表すために使用されてもよく、靴または足がどのように見えるかを利用者が理解することを可能にし、同じく、履物が快適かどうかを利用者に示すことを熟練した読者は理解されよう。
【０１３５】
同じく、本発明は、不完全なマネキンに、または最低でも個々の身体部分に適用されてもよいことが当業者により理解されよう。したがって、さまざまな衣服および、または履物の商店が身体の部分だけを必要としてもよい。たとえば、腕時計を販売する小売店が、腕時計が潜在的購入者の腕でどのように見える可能性があるかを潜在的購入者に示すための代表的な腕だけを有したいと望んでもよい。同様に、宝石店が、代表的な手を有したいと望んでもよい。顧客のデータベースを保有することにより、商店は、顧客の手または手首で１個の宝石がどのように見える可能性があるかを図示するカタログを自分の顧客に電子メールで送ってもよい。同じことが、履物の小売店、ならびに手袋および帽子を提供する小売店に当てはまる。
【０１３６】
本発明は、製造された衣服の物品のためのオン・ライン・ショッピングに特に有用であるが、顧客が衣服を注文仕立てしてもらう必要がある場合にも使用されてよい。この場合、顧客は、自分の外側の物理的寸法を測定してもらい、それを、マネキンを備える仕立屋に供給する。次いで、仕立屋は、必要とされる服に関して顧客から指示を受け取ってもよく、顧客は、仕立屋に自分の外側の物理的寸法を提供してもよい。次いで、仕立屋は、顧客の物理的サイズに調節されたマネキンを使用して、服が快適に合うマネキンからフィードバックを受け取りながら、服を作り始めてもよい。当然のことながら、仕立屋は、マネキンにアクセスする必要があるが、この例では、本発明を使用することにより、顧客が衣装合わせのために仕立屋まで繰り返し訪問する必要がかなり小さくなる。これが最も有用であると考えられる特定の例が、ウェディングドレスのデザインおよび製作である。
【０１３７】
本発明のこのような用途の他の利点が、仕立屋は顧客から遠く離れていることができるが、依然として、服の製造を開始することができるということである。たとえば、仕立屋は、顧客の位置とは対照的に海外にいることができる、または、おそらく、田舎または地方をベースとする顧客が、都市にいる仕立屋に自分の外側の物理的寸法に関係するデータを提供することができる。この特定の実施形態はまた、顧客が、既存の衣服の物品に直しを必要とし、その物品を仕立屋に送ってもよい場合に適用される。
【０１３８】
仕立屋は、顧客の外側の物理的寸法に関する最新のデータと一緒に、調節可能なマネキンを使用することにより、服を正確に直すことができることがある。仕立屋はまた、顧客のために衣服を製作または直しながら、センサから収集された定量的なパフォーマンスデータを利用してもよく、したがって、さらに調節が必要となる確率が低減される。特に、衣服を製作または直しているとき、仕立屋は、マネキンを制御して、いくつかの姿勢を採用してもよい、および衣服を調節して、顧客による動きの範囲に合わせてもよい。
【０１３９】
本発明はまた、顧客が服の試着を避けることを選ぶインショップ小売店で有用である。これはまた、服の汚損を防止するので、店主にとっても有益である。服が、顧客が期待したほど満足に合わない場合、調節可能なマネキンが、顧客に合わせるために必要な直しを決定するために使用されてもよい。
【０１４０】
調節可能なマネキンを使用して衣服の物品を見るおよび／または購入する実際の方式とは無関係に、顧客の外側の物理的寸法を収集することにより、普遍的なサイズ設定システムの開発が可能になり、顧客には、自分のサイズを規定する数値または何らかの他の指標が提供されてもよい。時間をかけて、小売店は普遍的なサイズ設定システムを採用することができ、その結果、顧客は、そのとき、小売りの衣服供給業者に自分のサイズ（普遍的なサイズ設定システムによる）について答えることができることが期待される。この特定の例では、顧客は、自分にぴったりのサイズを小売店で探し出すことができないことがあるが、少なくとも、衣服小売店がどこに位置するかとは無関係に、自分のサイズに近い衣服の物品を探し出すことができるべきである。したがって、このようなシステムを使って、一方の国の顧客が、他の国のだれかに自分の普遍的なサイズについて答えることができ、他の国のだれかは、顧客のサイズ要件を正確に理解する。
【０１４１】
本明細書全体を通して、本発明を任意の一実施形態、または特徴の特定の集まりに限定することなく、本発明の好ましい実施形態について説明することが目的であった。したがって、本開示を考慮すると、本発明の範囲を逸脱することなく、例示された特定の実施形態にさまざまな修正および変更を行うことができることが当業者には理解されよう。
【０１４２】
本明細書に言及されるすべてのコンピュータプログラム、アルゴリズム、特許および科学文献は、参照により本明細書に組み入れられる。
【図１】
2013538945.tif 000003
【図３】
2013538945.tif 000004
【図４】
2013538945.tif 000005
【図５】
2013538945.tif 000006
【図６】
2013538945.tif 000007
【図８ａ】
2013538945.tif 000008
【図８ｂ】
2013538945.tif 000009
【図８ｃ】
2013538945.tif 000010
【図９】
2013538945.tif 000011
【図２】
2013538945.tif 000012
【図７】
2013538945.tif 000013
【図１０】
2013538945.tif 000014
【国際調査報告】
2013538945.tif 000015
2013538945.tif 000016